【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
原稿を読み取る読取処理を実行する読取手段と、
前記読取処理が実行されることによって生成された画像データを送信する送信処理を実行する送信手段と、
ユーザ操作を受け付ける受付手段と、
表示手段と、
通信端末から、前記読取手段が前記読取処理を実行し、前記送信手段が前記送信処理を実行するためのジョブを生成するための指示と前記ジョブを一意に識別可能とする識別情報を受信する受信手段と、
前記指示に基づいて生成されたジョブを記憶する記憶手段とを有し、
前記受信手段が前記指示と前記識別情報を受信した後、前記受付手段が前記識別情報を受け付けるまでは前記読取手段は前記記憶されているジョブに基づく前記読取処理を実行せず、前記受付手段が前記識別情報を受け付けたら、前記表示手段は当該識別情報と一致するジョブに関する画面を表示し、前記受付手段がユーザによる実行指示を受け付けたことに従って前記読取手段は前記記憶されているジョブに基づく前記読取処理を実行し、前記送信手段は前記記憶されているジョブに基づく前記送信処理を実行することを特徴とする画像処理装置。
【請求項２】
前記受信手段が前記通信端末から前記ジョブの識別情報を受信した時に、当該ジョブの識別情報と一致する別のジョブが前記記憶手段に記憶されていることに基づいて、エラーを示す情報を送信することを特徴とする請求項１に記載の画像処理装置。
【請求項３】
前記受付手段が受け付けた識別情報に一致するジョブが前記記憶手段に記憶されていない場合、前記表示手段はエラーを示す情報を表示することを特徴とする請求項１または２に記載の画像処理装置。
【請求項４】
前記エラーを示す情報は、前記受付手段が受け付けた識別情報に一致するジョブがないことを示すエラーメッセージであることを特徴とする請求項３に記載の画像処理装置。
【請求項５】
前記ジョブに関する画面は、前記受信手段が受信したジョブの読取設定画面であり、
前記読取設定画面が表示されている状態で、前記受付手段が前記実行指示を受け付けたことに従って前記読取手段は前記記憶されているジョブの前記読取処理を実行し、前記送信手段は前記記憶されているジョブに基づく前記送信処理を実行することを特徴とする請求項１乃至４の何れか１項に記載の画像処理装置。
【請求項６】
前記記憶手段は、前記受信手段が前記ジョブを受信した時に、前記読取手段が使用されていても、前記ジョブを記憶する請求項１乃至５の何れか１項に記載の画像処理装置。
【請求項７】
前記送信手段が前記送信処理を実行することにより、前記通信端末で設定された宛先に前記生成された画像データが送信されることを特徴とする請求項１乃至６の何れか１項に記載の画像処理装置。
【請求項８】
前記受付手段がユーザによる実行指示を受け付けたことに従って、前記読取手段は前記記憶されているジョブに基づく前記読取処理を前記通信端末で設定された読取設定に基づいて実行することを特徴とする請求項１乃至７の何れか１項に記載の画像処理装置。
【請求項９】
原稿を読み取る読取処理を実行する読取手段と、
前記読取処理が実行されることによって生成された画像データを送信する送信処理を実行する送信手段と、
ユーザ操作を受け付ける受付手段と、
通信端末から、前記読取手段が前記読取処理を実行するためであり、前記送信手段が前記送信処理を実行するためのジョブを生成するための指示と前記ジョブを一意に識別可能とする識別情報を受信する受信手段と、
前記指示に基づいて生成されたジョブを記憶する記憶手段とを有し、
前記受信手段が前記指示と前記識別情報を受信した後、前記受付手段が前記識別情報を受け付けるまでは前記読取手段は前記記憶されているジョブに基づく前記読取処理を実行せず、前記受付手段が前記識別情報を受け付けたことと、前記受付手段がユーザによる実行指示を受け付けたことに少なくとも基づいて、前記読取手段は前記記憶されているジョブに基づく前記読取処理を実行し、前記送信手段は前記記憶されているジョブに基づく前記送信処理を実行することを特徴とする画像処理装置。
【請求項１０】
前記受信手段が前記通信端末から前記ジョブの識別情報を受信した時に、当該ジョブの識別情報と一致する別のジョブが前記記憶手段に記憶されていることに基づいて、エラーを示す情報を送信することを特徴とする請求項９に記載の画像処理装置。
【請求項１１】
表示手段をさらに有し、
前記受付手段が受け付けた識別情報に一致するジョブが前記記憶手段に記憶されていない場合、前記表示手段はエラーを示す情報を表示することを特徴とする請求項９または１０に記載の画像処理装置。
【請求項１２】
前記エラーを示す情報は、前記受付手段が受け付けた識別情報に一致するジョブがないことを示すエラーメッセージであることを特徴とする請求項１１に記載の画像処理装置。
【請求項１３】
前記記憶手段は、前記受信手段が前記ジョブを受信した時に、前記読取手段が使用されていても、前記ジョブを記憶する請求項９乃至１２の何れか１項に記載の画像処理装置。
【請求項１４】
前記送信手段が前記送信処理を実行することにより、前記通信端末で設定された宛先に前記生成された画像データが送信されることを特徴とする請求項９乃至１３の何れか１項に記載の画像処理装置。
【請求項１５】
前記受付手段がユーザによる実行指示を受け付けたことに従って、前記読取手段は前記記憶されているジョブに基づく前記読取処理を前記通信端末で設定された読取設定に基づいて実行することを特徴とする請求項９乃至１４の何れか１項に記載の画像処理装置。
【請求項１６】
原稿を読み取る読取処理を実行する読取工程と、
前記読取処理が実行されることによって生成された画像データを送信する送信処理を実行する送信工程と、
ユーザ操作を受け付ける受付工程と、
表示工程と、
通信端末から、前記読取工程で前記読取処理を実行し、前記送信工程で前記送信処理を実行するためのジョブを生成するための指示と前記ジョブを一意に識別可能とする識別情報を受信する受信工程と、
前記指示に基づいて生成されたジョブを記憶する記憶工程とを有し、
前記受信工程で前記指示と前記識別情報を受信した後、前記受付工程で前記識別情報を受け付けるまでは前記読取工程は前記記憶されているジョブに基づく前記読取処理を実行せず、前記受付工程で前記識別情報を受け付けたら、前記表示工程は当該識別情報と一致するジョブに関する画面を表示し、前記受付工程でユーザによる実行指示を受け付けたことに従って前記読取工程で前記記憶されているジョブに基づく前記読取処理を実行し、前記送信工程で前記記憶されているジョブに基づく前記送信処理を実行することを特徴とする画像処理方法。
【請求項１７】
原稿を読み取る読取処理を実行する読取工程と、
前記読取処理が実行されることによって生成された画像データを送信する送信処理を実行する送信工程と、
ユーザ操作を受け付ける受付工程と、
通信端末から、前記読取工程で前記読取処理を実行するためであり、前記送信工程で前記送信処理を実行するためのジョブを生成するための指示と前記ジョブを一意に識別可能とする識別情報を受信する受信工程と、
前記指示に基づいて生成されたジョブを記憶する記憶工程とを有し、
前記受信工程で前記指示と前記識別情報を受信した後、前記受付工程で前記識別情報を受け付けるまでは前記読取工程は前記記憶されているジョブに基づく前記読取処理を実行せず、前記受付工程で前記識別情報を受け付けたことと、前記受付工程でユーザによる実行指示を受け付けたことに少なくとも基づいて、前記読取工程で前記記憶されているジョブに基づく前記読取処理を実行し、前記送信工程で前記記憶されているジョブに基づく前記送信処理を実行することを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、画像処理装置及び画像処理方法に関する。
【手続補正４】
【補正対象書類名】明細書
【補正対象項目名】０００５
【補正方法】変更
【補正の内容】
【０００５】
そこで、本発明の画像処理装置は、原稿を読み取る読取処理を実行する読取手段と、前記読取処理が実行されることによって生成された画像データを送信する送信処理を実行する送信手段と、ユーザ操作を受け付ける受付手段と、表示手段と、通信端末から、前記読取手段が前記読取処理を実行し、前記送信手段が前記送信処理を実行するためのジョブを生成するための指示と前記ジョブを一意に識別可能とする識別情報を受信する受信手段と、前記指示に基づいて生成されたジョブを記憶する記憶手段とを有し、前記受信手段が前記指示と前記識別情報を受信した後、前記受付手段が前記識別情報を受け付けるまでは前記読取手段は前記記憶されているジョブに基づく前記読取処理を実行せず、前記受付手段が前記識別情報を受け付けたら、前記表示手段は当該識別情報と一致するジョブに関する画面を表示し、前記受付手段がユーザによる実行指示を受け付けたことに従って前記読取手段は前記記憶されているジョブに基づく前記読取処理を実行し、前記送信手段は前記記憶されているジョブに基づく前記送信処理を実行することを特徴とする。
【手続補正５】
【補正対象書類名】明細書
【補正対象項目名】００３４
【補正方法】変更
【補正の内容】
【００３４】
図１７は、実施形態２におけるＭＦＰ１０３のジョブ受信動作の一例を示すフローチャートである。図１７のフローチャートに示す各動作（各ステップの処理）は、制御部２１０のＣＰＵ２１１がＲＯＭ２１２に記憶された制御プログラムを実行することにより実現される。
Ｓ１７０１では、Ｊｏｂ  Ｃｏｎｔｒｏｌｌｅｒ部３０２が、タブレット型端末１０１からジョブ生成コマンドを受信する。Ｓ１７０２では、Ｊｏｂ  Ｃｏｎｔｒｏｌｌｅｒ部３０２が、当該ジョブ生成コマンドに付加されたタグコードとタグコードが重複する原稿スキャン待ちファックス送信ジョブがあるか否かを判定する。ここで、重複するタグコードが設定されたジョブが存在する場合は、Ｓ１７０３へ進み、Ｊｏｂ  Ｃｏｎｔｒｏｌｌｅｒ部３０２は、タブレット型端末１０１へタグコード重複エラーを応答して処理を終了する。一方、重複するタグコードが設定されたジョブが存在しない場合は、Ｓ１７０４へ進む。Ｓ１７０４では、Ｊｏｂ  Ｃｏｎｔｒｏｌｌｅｒ部３０２が、タブレット型端末１０１から送信される後続コマンドを受け付ける。ここで、Ｊｏｂ  Ｃｏｎｔｒｏｌｌｅｒ部３０２は、後続コマンドを受信するとＳ１７０５へ進み、ジョブ終了コマンドを受信したか否かを判定する。Ｊｏｂ  Ｃｏｎｔｒｏｌｌｅｒ部３０２は、ジョブ終了コマンドを受信している場合はＳ１７０６へ進み、そうでない場合はＳ１７０４へ戻り、再度後続コマンドを受け付ける。
Ｓ１７０６では、Ｊｏｂ  Ｃｏｎｔｒｏｌｌｅｒ部３０２が、タブレット型端末１０１からの指示の内容を判定する。より具体的に説明すると、Ｊｏｂ  Ｃｏｎｔｒｏｌｌｅｒ部３０２は、画像コマンドを受信し、かつ、スキャンコマンドを受信していない場合は、タブレット型端末１０１から送信された画像データのみをファックス送信することが指示されたと判定し、Ｓ１７０７へ進む。Ｓ１７０７では、Ｆａｘ部３０５が、画像コマンドで受信した画像データのファックス送信を実行して処理を終了する。一方、スキャンコマンドを受信している場合は、Ｓ１７０８へ進み、Ｊｏｂ  Ｃｏｎｔｒｏｌｌｅｒ部３０２が、当該ジョブを原稿スキャン待ちファックス送信ジョブとして保存する。